(57)【特許請求の範囲】
【請求項１】
ハウジングに吸気口と送気口とが設けられ、
ハウジングの内部に、吸気口から送気口に連通する通気路と、通気路を流れる空気に含まれている微粒子を分離除去するエリミネータ装置と、ファン装置とが設けられ、
エリミネータ装置は、空気が流入する流入開口部を下面に有するとともに、空気が流出する流出開口部を上面に有し、且つ、所定ピッチで並べられた複数の屈曲板を内部に有し、
屈曲板間に流通路が形成され、
ファン装置は、エリミネータ装置の流通路の下流側で且つ送気口の上流側に設けられて、屈曲板のピッチの方向におけるエリミネータ装置の一端側寄りに位置しており、吸気口からハウジングの内部に流入してエリミネータ装置の流通路を通過した空気を送気口からハウジングの外部へ強制的に送り出し、
エリミネータ装置の流通路を通過して下流側に吹き出す空気の吹出し方向が屈曲板のピッチの方向におけるエリミネータ装置の他端側に向いていることにより、エリミネータ装置の流通路を通過して下流側に吹き出す空気の吹出し方向が部分的にファン装置の吸込口の位置から遠ざかる方向に設定されていることを特徴とする空気清浄装置。
【請求項２】
ハウジングに吸気口と送気口とが設けられ、
ハウジングの内部に、吸気口から送気口に連通する通気路と、通気路を流れる空気に含まれている微粒子を分離除去するエリミネータ装置と、ファン装置とが設けられ、
エリミネータ装置は、空気が流入する流入開口部を下面に有するとともに、空気が流出する流出開口部を上面に有し、且つ、所定ピッチで並べられた複数の屈曲板を内部に有し、
屈曲板間に流通路が形成され、
ファン装置は、エリミネータ装置の流通路の下流側で且つ送気口の上流側に設けられて、屈曲板のピッチの方向におけるエリミネータ装置の中央部に位置しており、吸気口からハウジングの内部に流入してエリミネータ装置の流通路を通過した空気を送気口からハウジングの外部へ強制的に送り出し、
ファン装置に対して屈曲板のピッチの方向におけるエリミネータ装置の一端側に位置する領域では、エリミネータ装置の流通路を通過して下流側に吹き出す空気の吹出し方向がエリミネータ装置の一端側に向いているとともに、ファン装置に対して屈曲板のピッチの方向におけるエリミネータ装置の他端側に位置する領域では、エリミネータ装置の流通路を通過して下流側に吹き出す空気の吹出し方向がエリミネータ装置の他端側に向いていることにより、エリミネータ装置の流通路を通過して下流側に吹き出す空気の吹出し方向が部分的にファン装置の吸込口の位置から遠ざかる方向に設定されていることを特徴とする空気清浄装置。
【請求項３】
エリミネータ装置は送気口の下方に設けられ、
ファン装置はエリミネータ装置と送気口との間に設けられていることを特徴とする請求項１又は請求項２に記載の空気清浄装置。
【請求項４】
エリミネータ装置の流通路を通過して下流側に吹き出す空気の吹出し方向は、ファン装置の羽根車の回転軸心に直交する面内において、部分的にファン装置の吸込口の位置から遠ざかる方向に設定されていることを特徴とする請求項１から請求項３のいずれか１項に記載の空気清浄装置。
【請求項５】
エリミネータ装置は低流速用エリミネータと高流速用エリミネータとを有し、
低流速用エリミネータは空気が通過する多数の微小な開口を有する網状又は布状の捕捉部材を備え、
流通路は、高流速用エリミネータに備えられ、空気中に含まれている微粒子を慣性衝突によって捕捉することを特徴とする請求項１から請求項４のいずれか１項に記載の空気清浄装置。
【請求項６】
エリミネータ装置のファン装置に近い方の端部が上位となり、エリミネータ装置のファン装置から遠い方の端部が下位となるように、エリミネータ装置を傾斜して設けていることを特徴とする請求項１から請求項５のいずれか１項に記載の空気清浄装置。
【発明の詳細な説明】
【技術分野】
【０００１】
本発明は、エリミネータ装置とファン装置とを内蔵した空気清浄装置に関する。
【背景技術】
【０００２】
従来、この種の空気清浄装置としては、例えば図１４に示すように、空気中に浮遊する繊維屑を除去する風綿除去装置がある。この風綿除去装置の筐体１０１には空気吸込口１０２と空気吹出口１０３とが設けられている。また、筐体１０１の内部には、水を噴霧するためのノズル配管１０４と、エリミネータ装置１０５と、ファン装置１０６とが設けられている。
【０００３】
エリミネータ装置１０５は、くの字形状に屈曲した複数のフィン１０７と、フィン１０７間に形成された流通路１０８とを有している。これら流通路１０８はくの字形状に屈曲している。
【０００４】
これによると、ファン装置１０６が回転駆動することにより、筐体１０１内が負圧になり、外部の空気が空気吸込口１０２から筐体１０１内の噴霧室１０９に吸い込まれ、水をノズル配管１０４から噴霧室１０９の空気に対して噴霧する。その後、空気は、エリミネータ装置１０５の流通路１０８を通過する際に、空気中に含まれている水滴等の微粒子が分離除去され、ファン装置１０６の吸込側１１０から吐出側１１１に通過し、空気吹出口１０３から外部へ吹き出す。
【０００５】
尚、上記のような風綿除去装置は例えば下記特許文献１に記載されている。
【先行技術文献】
【特許文献】
【０００６】
【特許文献１】実開平４−３７５２５
【発明の概要】
【発明が解決しようとする課題】
【０００７】
しかしながら上記の従来形式では、エリミネータ装置１０５の流通路１０８を通過して下流側に吹き出す空気の吹出し方向１１２がファン装置１０６の吸込側１１０に近付く方向に設定されているため、流通路１０８から吹き出す際の空気はほとんど方向を変えずにスムーズにファン装置１０６の吸込側１１０へ流れて行く。これにより、水滴等の微粒子が空気と共に流通路１０８を通り抜けてしまう可能性が増し、微粒子を捕捉するエリミネータ装置１０５の捕捉性能の向上が望めないといった問題がある。
【０００８】
本発明は、微粒子を捕捉するエリミネータ装置の捕捉性能を向上させることができる空気清浄装置を提供することを目的とする。
【課題を解決するための手段】
【０００９】
上記目的を達成するために、本第１発明における空気清浄装置は、ハウジングに吸気口と送気口とが設けられ、
ハウジングの内部に、吸気口から送気口に連通する通気路と、通気路を流れる空気に含まれている微粒子を分離除去するエリミネータ装置と、ファン装置とが設けられ、
エリミネータ装置は、空気が流入する流入開口部を下面に有するとともに、空気が流出する流出開口部を上面に有し、且つ、所定ピッチで並べられた複数の屈曲板を内部に有し、
屈曲板間に流通路が形成され、
ファン装置は、エリミネータ装置の流通路の下流側で且つ送気口の上流側に設けられて、屈曲板のピッチの方向におけるエリミネータ装置の一端側寄りに位置しており、吸気口からハウジングの内部に流入してエリミネータ装置の流通路を通過した空気を送気口からハウジングの外部へ強制的に送り出し、
エリミネータ装置の流通路を通過して下流側に吹き出す空気の吹出し方向が屈曲板のピッチの方向におけるエリミネータ装置の他端側に向いていることにより、エリミネータ装置の流通路を通過して下流側に吹き出す空気の吹出し方向が部分的にファン装置の吸込口の位置から遠ざかる方向に設定されているものである。
【００１０】
これによると、ファン装置が回転駆動することにより、外部の空気が、吸気口からハウジング内に吸い込まれ、ハウジング内で殺菌剤溶液等を噴霧された後、エリミネータ装置の流通路を通過する。この際、空気中に含まれている水滴等の微粒子は、慣性力により直進しようとするため、流通路を曲がりきれず、流通路の壁面に慣性衝突して捕捉される。このようにしてエリミネータ装置の流通路を通過した空気は、ファン装置の吸込口から吸い込まれて、送気口から外部へ吹き出す。
【００１１】
ここで、エリミネータ装置の流通路を通過して下流側に吹き出す空気の吹出し方向がファン装置の吸込口の位置から遠ざかる方向に設定されているため、エリミネータ装置の流通路を流れた空気は、流通路から下流側に吹き出した際に、ファン装置の吸込口に向って流れ方向を大きく変える。このように、空気が流通路から下流側に吹き出した際、空気の流れ方向が大きく転換するため、流通路から下流側に吹き出す直前の空気中に含まれている微粒子が流通路の壁面に衝突して捕捉される可能性が増す。これにより、微粒子を捕捉するエリミネータ装置の捕捉性能が向上する。
【００１２】
本第２発明における空気清浄装置は、ハウジングに吸気口と送気口とが設けられ、
ハウジングの内部に、吸気口から送気口に連通する通気路と、通気路を流れる空気に含まれている微粒子を分離除去するエリミネータ装置と、ファン装置とが設けられ、
エリミネータ装置は、空気が流入する流入開口部を下面に有するとともに、空気が流出する流出開口部を上面に有し、且つ、所定ピッチで並べられた複数の屈曲板を内部に有し、
屈曲板間に流通路が形成され、
ファン装置は、エリミネータ装置の流通路の下流側で且つ送気口の上流側に設けられて、屈曲板のピッチの方向におけるエリミネータ装置の中央部に位置しており、吸気口からハウジングの内部に流入してエリミネータ装置の流通路を通過した空気を送気口からハウジングの外部へ強制的に送り出し、
ファン装置に対して屈曲板のピッチの方向におけるエリミネータ装置の一端側に位置する領域では、エリミネータ装置の流通路を通過して下流側に吹き出す空気の吹出し方向がエリミネータ装置の一端側に向いているとともに、ファン装置に対して屈曲板のピッチの方向におけるエリミネータ装置の他端側に位置する領域では、エリミネータ装置の流通路を通過して下流側に吹き出す空気の吹出し方向がエリミネータ装置の他端側に向いていることにより、エリミネータ装置の流通路を通過して下流側に吹き出す空気の吹出し方向が部分的にファン装置の吸込口の位置から遠ざかる方向に設定されているものである。
【００１３】
本第３発明における空気清浄装置は、エリミネータ装置は送気口の下方に設けられ、
ファン装置はエリミネータ装置と送気口との間に設けられているものである。
【００１４】
本第４発明における空気清浄装置は、エリミネータ装置の流通路を通過して下流側に吹き出す空気の吹出し方向は、ファン装置の羽根車の回転軸心に直交する面内において、部分的にファン装置の吸込口の位置から遠ざかる方向に設定されていることを特徴とする請求項１から請求項３のいずれか１項に記載の空気清浄装置。
【００１５】
本第５発明における空気清浄装置は、エリミネータ装置は低流速用エリミネータと高流速用エリミネータとを有し、
低流速用エリミネータは空気が通過する多数の微小な開口を有する網状又は布状の捕捉部材を備え、
流通路は、高流速用エリミネータに備えられ、空気中に含まれている微粒子を慣性衝突によって捕捉するものである。
【００１６】
これによると、空気が低流速用エリミネータと高流速用エリミネータとを通過することにより、空気に含まれている微粒子が分離除去される。この際、低流速の空気が低流速用エリミネータの捕捉部材の微小な開口を通過する時、空気中の微粒子が捕捉部材に衝突して捕捉される。
【００１７】
また、高流速の空気が高流速用エリミネータの流通路を通過する時に、空気中の微粒子は、慣性力により直進しようとするため、流通路を曲がりきれず、流通路の壁面に慣性衝突して捕捉される。
【００１８】
このように、低流速の空気中の微粒子が主に低流速用エリミネータで分離除去され、高流速の空気中の微粒子が主に高流速用エリミネータで分離除去されるため、低流速の空気から高流速の空気まで幅広い流速の空気に対応することができる。
【００１９】
本第６発明における空気清浄装置は、エリミネータ装置のファン装置に近い方の端部が上位となり、エリミネータ装置のファン装置から遠い方の端部が下位となるように、エリミネータ装置を傾斜して設けているものである。
【００２０】
これによると、エリミネータ装置を傾斜させていることにより、エリミネータ装置の流通路を流れた空気は、流通路から下流側に吹き出した際に、ファン装置の吸込口に向って一段と大きく反転し、流れ方向を大きく変える。これにより、微粒子を捕捉するエリミネータ装置の捕捉性能がさらに向上する。
【発明の効果】
【００２１】
以上のように本発明によると、空気がエリミネータ装置の流通路から下流側に吹き出した際、空気の流れ方向が大きく変化するため、流通路から下流側に吹き出す直前の空気中に含まれている微粒子が流通路の壁面に衝突して捕捉される可能性が増す。これにより、微粒子を捕捉するエリミネータ装置の捕捉性能が向上する。
【図面の簡単な説明】
【００２２】
【図１】本発明の第１の実施の形態における空気清浄装置の内部構成を模式的に示す図である。
【図２】図１におけるエリミネータ装置とファン装置との拡大図である。
【図３】図１におけるＸ−Ｘ矢視図である。
【図４】同、空気清浄装置の斜視図である。
【図５】同、空気清浄装置に内蔵されるエリミネータ装置の斜視図である。
【図６】図５におけるＸ−Ｘ矢視図である。
【図７】図５におけるＹ−Ｙ矢視図である。
【図８】同、エリミネータ装置の低流速用エリミネータの斜視図である。
【図９】同、エリミネータ装置の高流速用エリミネータの一部分の斜視図である。
【図１０】本発明の第２の実施の形態における空気清浄装置のエリミネータ装置とファン装置との拡大図である。
【図１１】本発明の第３の実施の形態における空気清浄装置のエリミネータ装置とファン装置との拡大図である。
【図１２】本発明の第４の実施の形態における空気清浄装置のエリミネータ装置とファン装置との拡大図である。
【図１３】本発明の第５の実施の形態における空気清浄装置のエリミネータ装置とファン装置との拡大図である。
【図１４】従来の空気清浄装置の内部構成を模式的に示す図である。
【発明を実施するための形態】
【００２３】
以下、本発明における実施の形態を、図面を参照して説明する。
（第１の実施の形態）
第１の実施の形態では、図１〜図４に示すように、空気清浄装置１は、ハウジング３の前面の扉体４に下方位置の吸気口５と上方位置の送気口６を有しており、ハウジング３の内部に除菌対象空気８が上流側の吸気口５から下流側の送気口６に流れる浄化用通気路９を形成している。
【００２４】
浄化用通気路９は吸気口５から送気口６に連通し、浄化用通気路９の途中には、除菌対象空気８の流れ方向において上流側から下流側へ順次に、第１防塵ネット１１、中性能フィルター１２、メディア１３、噴霧装置１４、エリミネータ装置１５、ファン装置１６、第２防塵ネット１７を設けている。
【００２５】
第１防塵ネット１１、中性能フィルター１２、メディア１３は、浄化用通気路９の気液接触領域を形成する風洞１９に装着している。メディア１３は風洞１９の内部に吸気口５の側からハウジング３の奥側に向けて斜め下方に傾斜させて配置してあり、配置に要する高さを抑制している。
【００２６】
噴霧装置１４は浄化用通気路９を流れる除菌対象空気８に微酸性電解水の殺菌剤溶液１８をメディア１３に沿って噴霧するものである。
中性能フィルター１２は微細粒子を捕捉して気流中から除去し、メディア１３は噴霧装置１４から噴霧された噴霧水を保持して除菌対象空気８と殺菌剤溶液１８との気液接触を促すものであって、例えば、ポリ塩化ビニルデン系繊維をマット状にしたものである。エリミネータ装置１５は、除菌対象空気８中に含まれている水滴やミスト等の微粒子を捕捉して分離除去するものであり、メディア１３を配した風洞１９の上方位置で且つ送気口６の下方位置に配置されている。
【００２７】
風洞１９の下方には風洞１９から降下する殺菌剤溶液１８を受け止めるパン２１を配置しており、エリミネータ装置１５、メディア１３、風洞１９、パン２１はメンテナンス時にハウジング３から取り外しが可能であり、メディア１３は風洞１９の前面側から脱着を行う。
【００２８】
パン２１の下方には循環槽２２が設けてあり、循環槽２２は浄化用通気路９から降下する殺菌剤溶液１８やパン２１から流入する殺菌剤溶液１８を受け止めて貯溜するものである。循環槽２２と噴霧装置１４の間には循環系２３が配設してあり、循環系２３は循環ポンプ２４を有して循環槽２２内の殺菌剤溶液１８を噴霧装置１４に供給するものである。
【００２９】
図５，図６に示すように、エリミネータ装置１５は、エリミネータケース３０と、エリミネータケース３０内に設けられた低流速用エリミネータ３１および高流速用エリミネータ３２とを有している。
【００３０】
エリミネータケース３０は、四角箱状のケースであり、下面に、除菌対象空気８が流入する流入開口部３５を有し、上面に、除菌対象空気８が流出する流出開口部３６を有している。
【００３１】
尚、低流速用エリミネータ３１と高流速用エリミネータ３２とは、エリミネータケース３０内で、上下方向（気体の流れ方向の一例）に二段に積み重ねられている。低流速用エリミネータ３１は下段に設けられ、高流速用エリミネータ３２は、低流速用エリミネータ３１の下流側すなわち上段に積み重ねられている。
【００３２】
図６〜図８に示すように、低流速用エリミネータ３１は、四角枠状の枠フレーム３９と、枠フレーム３９内に設けられた捕捉部材４０とを有している。捕捉部材４０は、除菌対象空気８が通過する多数の微小な開口部（網目の開口部）を有するステンレス製の金網（メッシュ）である。捕捉部材４０には複数の山部４３と谷部４４とが交互に形成されている。
【００３３】
図２，図６，図７，図９に示すように、高流速用エリミネータ３２は所定ピッチＰで並べられた複数の屈曲板４８を有している。これら屈曲板４８は略くの字状に屈曲しており、屈曲板４８間には、除菌対象空気８中に含まれている水滴等の微粒子を慣性衝突によって捕捉する屈曲した流通路４９が形成されている。
【００３４】
尚、屈曲板４８は連結用の凹凸部（図示省略）を有しており、屈曲板４８の凸部を、その隣りの屈曲板４８の凹部に嵌めることによって、流通路４９を確保した状態で屈曲板４８同士を連結している。
【００３５】
高流速用エリミネータ３２は低流速用エリミネータ３１の枠フレーム３９上に載せられて支持されている。
尚、図３，図７に示すように、エリミネータ装置１５は前部が後部よりも高い位置（高位）になるように傾斜している。これにより、低流速用エリミネータ３１は山部４３および谷部４４の長手方向Ａにおける前端部が後端部よりも高位になるように傾斜しているとともに、高流速用エリミネータ３２は屈曲板４８の長手方向Ａにおける前端部が後端部よりも高位になるように傾斜している。尚、上記長手方向Ａは屈曲板４８のピッチＰの方向Ｂに直交している。
【００３６】
図１〜図３に示すように、ファン装置１６は、エリミネータ装置１５の流通路４９の下流側（上方）で且つ送気口６の上流側（下方）に設けられ、ハウジング３内を負圧にして、吸気口５からハウジング３の内部に流入してエリミネータ装置１５の流通路４９を通過した除菌対象空気８を送気口６からハウジング３の外部へ強制的に送り出すものである。
【００３７】
ファン装置１６は、シロッコファンであり、ファンケース５２内に回転自在に設けられた円筒状の羽根車５３と、羽根車５３を回転駆動させる電動機等の回転駆動装置５４と、ファンケース５２に形成された吸込口５５および吐出口５６とを有している。尚、羽根車５３は多数の羽根を有している。吸込口５５はファンケース５２の背面（後面）に形成され、エリミネータ装置１５の下流側とファンケース５２内とは吸込口５５を介して連通している。また、吐出口５６はファンケース５２の上面に形成され、ファンケース５２内と送気口６とは吐出口５６を介して連通している。
【００３８】
図１，図２に示すように、ファン装置１６は屈曲板４８のピッチＰの方向Ｂにおけるエリミネータ装置１５の左端側寄り（一端側寄りの一例）に位置している。
また、エリミネータ装置１５の流通路４９を通過して下流側に吹き出す除菌対象空気８の吹出し方向Ｃは、羽根車５３の回転軸心５７に直交する面内において、ファン装置１６の吸込口５５の位置から遠ざかる方向、すなわちエリミネータ装置１５の右端側（他端側の一例）に向いている。
【００３９】
また、図４に示すように、扉体４の前面には空気清浄装置１の運転を担う制御装置２６を設けている。制御装置２６は、低速運転モードと高速運転モードとを担う機能回路を有しており、スイッチ等の操作によって、ファン装置１６の回転駆動装置５４の回転速度を制御し、運転モードを低速運転モードと高速運転モードとに切り替える。
【００４０】
以下、上記構成における作用を説明する。
スイッチ等を操作して、制御装置２６が空気清浄装置１を低速運転モードに切り替えて運転することにより、ファン装置１６の羽根車５３が低速回転し、除菌対象空気８が、吸気口５からハウジング３内に吸入され、浄化用通気路９を低流速で流れた後、送気口６から室内に送り出される。
【００４１】
この際、循環ポンプ２４によって循環槽２２の殺菌剤溶液１８が噴霧装置１４に供給され、ハウジング３内の浄化用通気路９を上流側から下流側に流れる除菌対象空気８に、噴霧装置１４から殺菌剤溶液１８が噴霧される。
【００４２】
この噴霧により、除菌対象空気８に含まれる浮遊菌や塵埃等の異物は、噴霧された殺菌剤溶液１８の噴霧水に衝突し、捕捉され、除菌される。さらにメディア１３に到達した殺菌剤溶液１８の噴霧水は、メディア１３に付着した浮遊菌や塵埃を流下させるとともに、除菌対象空気８に含まれた浮遊菌や塵埃等の異物を取り込み、循環槽２２内に流入する。
【００４３】
メディア１３を通過した除菌対象空気８は、エリミネータ装置１５に供給され、エリミネータケース３０の流入開口部３５から内部へ流入し、低流速用エリミネータ３１の捕捉部材４０を下方（上流側）から上方（下流側）へ通過し、その後、高流速用エリミネータ３２の複数の流通路４９を下方（上流側）から上方（下流側）へ通過し、エリミネータケース３０の流出開口部３６から上方（下流側）へ流出する。
【００４４】
この際、低流速の除菌対象空気８が低流速用エリミネータ３１の捕捉部材４０の網目の微小な開口部を通過する時、除菌対象空気８中の水滴等の微粒子Ｄが捕捉部材４０に衝突して捕捉される。さらに、捕捉部材４０の微小な開口部を通過しようとする水滴等の微粒子Ｄは、既に捕捉部材４０の開口部の周縁部に捕捉されている水滴等の微粒子Ｄに付着して凝集され、この凝集作用により捕捉されて大きな水滴等の微粒子Ｄに成長する。
【００４５】
このようにして低流速用エリミネータ３１を通過した低流速の除菌対象空気８は高流速用エリミネータ３２の複数の流通路４９を下方から上方へ流れる。この際、図６に示すように、除菌対象空気８中の水滴等の微粒子Ｄは、慣性により流通路４９を曲がりきれず、屈曲板４８の表面に慣性衝突して捕捉される。
【００４６】
尚、除菌対象空気８が低流速である場合、除菌対象空気８中の微粒子Ｄは、小さくて慣性力が弱いため、主に低流速用エリミネータ３１で上記のようにして分離除去される。
また、スイッチ等を操作して、制御装置２６が空気清浄装置１を高速運転モードに切り替えて運転することにより、羽根車５３が高速回転し、除菌対象空気８が、吸気口５からハウジング３内に吸入され、浄化用通気路９を高流速で流れた後、送気口６から送り出される。除菌対象空気８が低流速用エリミネータ３１の捕捉部材４０の微小な開口部を通過する際、除菌対象空気８の流速が高いため、除菌対象空気８中の水滴等の微粒子Ｄは、除菌対象空気８と共に、低流速用エリミネータ３１の捕捉部材４０の微小な開口部を通過し易いが、低流速用エリミネータ３１を通過しても、高流速用エリミネータ３２の流通路４９を通過する時に、慣性力により直進しようとするため、流通路４９を曲がりきれず、屈曲板４８の表面に慣性衝突して捕捉される。
【００４７】
尚、高流速の除菌対象空気８中の微粒子Ｄは、低流速用エリミネータ３１の捕捉部材４０の開口部を通過する際、開口部の周縁部に捕捉されている水滴等の微粒子Ｄに付着して大きな微粒子Ｄに成長し、重力によって下方に滴下する。滴下しない場合は、微粒子Ｄが大型化した状態で低流速用エリミネータ３１から高流速用エリミネータ３２の流通路４９に流入するため、慣性力が強くなって慣性衝突が確実に発生し易くなり、これにより、主に高流速用エリミネータ３２で分離除去される。
【００４８】
また、低速運転モードから高速運転モードに切り替えた際、低流速用エリミネータ３１の捕捉部材４０で捕捉されていた微粒子Ｄが下流側（上方）に吹き飛ばされても、吹き飛ばされた微粒子Ｄは下流側に設けられている高流速用エリミネータ３２で確実に捕捉される。
【００４９】
このように、低流速の除菌対象空気８中の水滴等の微粒子Ｄが主に低流速用エリミネータ３１で分離除去され、高流速の除菌対象空気８中の水滴等の微粒子Ｄが主に高流速用エリミネータ３２で分離除去されるため、低流速の除菌対象空気８から高流速の除菌対象空気８まで幅広い流速の除菌対象空気８に対応することができる。
【００５０】
また、低流速用エリミネータ３１の捕捉部材４０に複数の山部４３と谷部４４とを交互に形成しているため、捕捉部材４０の面積を広くすることができ、除菌対象空気８が捕捉部材４０の微小な開口部を通過する時の流速が低下する。
【００５１】
また、捕捉部材４０で捕捉された水滴（微粒子Ｄの一例）および屈曲板４８に捕捉されて屈曲板４８の表面から捕捉部材４０に流れ落ちた水滴は、山部４３の傾斜に沿って谷部４４に向って流れ落ちるため、水膜の形成を防止することができ、捕捉部材４０の表面が水膜で覆われることはない。このようなことにより、除菌対象空気８が低流速用エリミネータ３１を通過する際の圧損を低下することができる。
【００５２】
また、捕捉部材４０で捕捉された水滴は、エリミネータ装置１５の傾斜によって低流速用エリミネータ３１の後端部に向って流れ落ちる。これにより、捕捉部材４０の水捌けが向上する。
【００５３】
また、捕捉部材４０は複数の山部４３と谷部４４とを形成した金網であるため、ブラシ等を用いて捕捉部材４０の表面を容易に清掃することができる。
また、高流速用エリミネータ３２は、エリミネータケース３０内において、低流速用エリミネータ３１の枠フレーム３９上に載せられて支持されているため、エリミネータ装置１５の構造が簡素化される。
【００５４】
尚、高速運転モードで運転している場合であっても、中性能フィルター１２が次第に目詰まりすることにより、エリミネータ装置１５を通過する除菌対象空気８が高流速から低流速に低下していくことがあり、このような場合でも、除菌対象空気８中の水滴等の微粒子Ｄをエリミネータ装置１５で確実に分離除去することができる。
【００５５】
このようにしてエリミネータ装置１５を通過した除菌対象空気８は、図１〜図３に示すように、ファン装置１６の吸込口５５からファンケース５２内に吸い込まれ、ファンケース５２内を流れた後、吐出口５６からファンケース５２の外部へ吐出され、送気口６から外部へ吹き出す。
【００５６】
ここで、エリミネータ装置１５の流通路４９を通過して下流側に吹き出す除菌対象空気８の吹出し方向Ｃがファン装置１６の吸込口５５の位置から遠ざかる方向（右上方向）に向いているため、流通路４９を流れた除菌対象空気８は、流通路４９から下流側に吹き出した際に、ファン装置１６の吸込口５５に向って反転し、流れ方向を大きく変える（方向転換する）。このため、流通路４９から下流側に吹き出す直前の除菌対象空気８中に含まれている微粒子Ｄが屈曲板４８に衝突して捕捉される可能性が増す。これにより、微粒子を捕捉するエリミネータ装置１５の捕捉性能が向上する。
【００５７】
上記実施の形態では、低流速用エリミネータ３１の捕捉部材４０として、金網（メッシュ）を用いているが、樹脂や金属の繊維を織って布状にしたものであってもよく、或いは、多数の微小な開口を有する通気性のある部材であってもよい。
【００５８】
（第２の実施の形態）
第１の実施の形態では、図１，図２に示すように、ファン装置１６を屈曲板４８のピッチＰの方向Ｂにおけるエリミネータ装置１５の左端側寄りに位置しているが、第２の実施の形態として、図１０に示すように、ファン装置１６を右端側寄りに位置してもよい。この場合、屈曲板４８の向きを逆にして、除菌対象空気８の吹出し方向Ｃをエリミネータ装置１５の左端側（左上方向）に向ければよい。
【００５９】
これによると、上記第１の実施の形態と同様の作用および効果が得られる。
（第３の実施の形態）
第１の実施の形態では、図１，図２に示すように、ファン装置１６を屈曲板４８のピッチＰの方向Ｂにおけるエリミネータ装置１５の左端側寄りに位置しているが、第３の実施の形態として、図１１に示すように、ファン装置１６を左右中央部に位置してもよい。この場合、ファン装置１６に対して左側に位置する屈曲板４８の向きと右側に位置する屈曲板４８の向きとを逆にすればよい。
【００６０】
これによると、上記第１の実施の形態と同様の作用および効果が得られる。
（第４の実施の形態）
第１の実施の形態では、図２に示すように、羽根車５３の回転軸心５７を前後方向に設定し、吸込口５５をファンケース５２の背面（後面）に形成し、吐出口５６をファンケース５２の上面に形成しているが、第４の実施の形態として、図１２に示すように、羽根車５３の回転軸心５７を左右方向（ピッチＰの方向Ｂ）に設定し、吸込口５５をファンケース５２の左側面（一側面）に形成し、吐出口５６をファンケース５２の上面に形成し、除菌対象空気８の吹出し方向Ｃを吸込口５５の位置から遠ざかる方向に設定してもよい。
【００６１】
これによると、上記第１の実施の形態と同様の作用および効果が得られる。
尚、吸込口５５と吐出口５６の形成箇所は、ファンケース５２の背面、左側面、上面に限定されるものではなく、ファンケース５２のその他の箇所に形成してもよい。
【００６２】
（第５の実施の形態）
第５の実施の形態では、図１３に示すように、エリミネータ装置１５のファン装置１６に近い方の端部Ｅ１（一端部）が上位となり、エリミネータ装置１５のファン装置１６から遠い方の端部Ｅ２（他端部）が下位となるように、エリミネータ装置１５を傾斜して設けている。
【００６３】
これによると、上記第１の実施の形態と同様の作用および効果が得られる。特に、エリミネータ装置１５を傾斜させていることにより、エリミネータ装置１５の流通路４９を流れた除菌対象空気８は、流通路４９から下流側に吹き出した際に、ファン装置１６の吸込口５５に向って一段と大きく反転し、流れ方向を大きく変える（方向転換する）。これにより、微粒子を捕捉するエリミネータ装置１５の捕捉性能がさらに向上する。
【００６４】
尚、上記第５の実施の形態と同様に、先述した第１および第２の実施の形態におけるエリミネータ装置１５を傾斜して設けても、同様の効果を得ることができる。
上記各実施の形態では、ファン装置１６としてシロッコファンを用いたが、それ以外の種類のファンを用いてもよい。
【符号の説明】
【００６５】
１      空気清浄装置
３      ハウジング
５      吸気口
６      送気口
８      除菌対象空気
９      浄化用通気路
１５    エリミネータ装置
１６    ファン装置
３１    低流速用エリミネータ
３２    高流速用エリミネータ
４０    捕捉部材
４９    流通路
５３    羽根車
５５    吸込口
５７    回転軸心
Ｂ      屈曲板のピッチの方向
Ｃ      吹出し方向
Ｄ      微粒子
Ｅ１    エリミネータ装置のファン装置に近い方の端部
Ｅ２    エリミネータ装置のファン装置から遠い方の端部
Ｐ      所定ピッチ
【図１】
0006726465.tif 000002
【図２】
0006726465.tif 000003
【図３】
0006726465.tif 000004
【図４】
0006726465.tif 000005
【図５】
0006726465.tif 000006
【図６】
0006726465.tif 000007
【図７】
0006726465.tif 000008
【図８】
0006726465.tif 000009
【図９】
0006726465.tif 000010
【図１０】
0006726465.tif 000011
【図１１】
0006726465.tif 000012
【図１２】
0006726465.tif 000013
【図１３】
0006726465.tif 000014
【図１４】
0006726465.tif 000015